(57)【要約】  【課題】四角形などディスクが円形でないことで外周のトラックが途切れる場合、トラックが途切れない部分までしか信号記録に用いることができない。トラックが途切れた部分も読み出し可能とする。  【解決手段】ディスク１を回転させるディスク回転手段２と、ディスク１からの情報を読み出すピックアップ３と、ピックアップ３の読み出し信号に基づいてピックアップ３の位置とディスク回転手段２の回転を制御する増幅手段４、演算手段５およびドライブ信号作成手段６からなる制御手段とを備え、ピックアップ３の初期位置からの相対位置を検出して演算手段５に検出信号を供給する位置情報供給手段７と位置情報読み出し手段８を有する。【選択図】  図１
2005339592.tif 000002
【特許請求の範囲】
【請求項１】
ディスクを回転させるディスク回転手段と、前記ディスクからの情報を読み出すディスク読み出し手段と、前記ディスク読み出し手段の読み出し信号に基づいて前記ディスク読み出し手段の位置と前記ディスク回転手段の回転を制御する制御手段とを備えたディスク再生装置であって、
前記ディスク読み出し手段の初期位置からの相対位置を検出して前記制御手段に検出信号を供給する位置検出手段を有するディスク再生装置。
【請求項２】
ディスクを回転させるディスク回転手段と、ディスクに向けてレーザを照射しその反射光を電気信号に変換し読み出し信号として出力するディスク読み出し手段と、前記電気信号の差分信号と加算信号を増幅して出力する増幅手段と、前記差分信号を用いてサーボ演算を行い、ドライブ指示信号を出力する演算手段と、前記ドライブ指示信号に基づいて前記ディスク読み出し手段と前記ディスク回転手段にドライブ信号を出力するドライブ信号作成手段とを備えたディスク再生装置であって、
前記ディスク読み出し手段の初期位置からの相対位置を検出して前記演算手段に検出信号を供給する位置検出手段を有するディスク再生装置。
【請求項３】
位置検出手段はディスク読み出し手段の移動経路の上または前記移動経路に平行に設置した位置情報を読み出す請求項２記載のディスク再生装置。
【請求項４】
位置情報が等間隔に配置した明暗情報である請求項３記載のディスク再生装置。
【請求項５】
位置情報が基準位置からの距離である請求項３記載のディスク再生装置。
【請求項６】
演算手段は、ディスク読み出し手段からの読み出し信号が途切れた場合に前記ディスク読み出し手段の初期位置からの相対位置を保持しトラック位置を制御する請求項２、請求項３、請求項４または請求項５記載のディスク再生装置。
【請求項７】
ディスクに偏心がある場合、ディスク読み出し手段からの読み出し信号が途切れたときに前記ディスク読み出し手段の初期位置からの相対位置に偏心分のずれをトラック位置に加算または減算してトラック位置を制御する請求項６記載のディスク再生装置。
【請求項８】
演算手段は、読み出し信号が途切れた場合に途切れる直前の読み出しデータと途切れから復帰した直後の読み出しデータをつなぎ、連続した読み出しデータとして扱う請求項２、請求項３、請求項４、請求項５、請求項６または請求項７記載のディスク再生装置。
【発明の詳細な説明】
【技術分野】
【０００１】
本発明は、コンパクトディスクプレーヤ等のディスク再生装置に関するものである。
【背景技術】
【０００２】
従来の光ディスク再生装置の一例について、図を用いて説明する。図２は従来の光ディスク再生装置のブロック図である。図２において、１はディスク、２はディスク回転手段、３はディスク読み出し手段であるピックアップ、４は増幅手段、５は演算手段、６はドライブ信号作成手段である。
【０００３】
以下、図２を用いて従来の発明における光ディスク再生装置の動作について詳細に説明する。演算手段５はピックアップ３にレーザ照射を指示し、ピックアップ３はディスク１に向けてレーザを照射する。次に演算手段５はドライブ信号作成手段６にディスク１に対して垂直方向への往復動作指示Ｓ３をし、それを受けたドライブ信号作成手段６はピックアップ３にドライブ信号Ｓ４を供給する。その時にピックアップ３はディスク１からの反射光を電気信号Ｓ１に変換し、増幅手段４に供給する。増幅手段４は電気信号の差分信号と加算信号を増幅し、フォーカスエラー信号Ｓ２として演算手段５に供給する。演算手段５は差分信号を用いてサーボ演算を行ないドライブ指示信号を出力する、すなわちフォーカスエラー信号Ｓ２を用いてエラー信号が０になるピックアップ位置を特定し、エラー信号が０になるようにピックアップ用動作指示Ｓ３をドライブ信号作成手段に伝達し、ドライブ信号作成手段６はその指示に従いピックアップ３にドライブ信号Ｓ４を供給する。以上がフォーカスサーボ制御の概略である。また、ディスク１の回転時は回転数のサーボ制御を行いながらディスク回転指示Ｓ５を与え、ドライブ信号作成手段６を介しディスク回転手段２を回転させる。
【０００４】
ディスク１の回転状態においては、ディスク１に記録されたトラックとよばれるピット列をトレースするためトラッキングサーボを行うが、トラッキングサーボについても同様で、トラッキングエラー信号が０になるように演算手段５がピックアップ３のトラッキングの制御を行う。これがトラッキングサーボ制御の概略である。
【０００５】
以上のように光ディスク再生装置の一例では、ディスク１に記録された情報をピックアップ３により安定して読み出すためにサーボ制御が用いられる（例えば、特許文献１参照）。
ここで従来のディスク再生装置において、円形でないディスクを再生する場合の動作について説明する。図３は円形でないディスク１の一例である、長方形のディスク１の図である。図３において、Ｔｒ１、Ｔｒ２・・ＴｒＮ−１、ＴｒＮはディスク１に記録されたピットの列からなるトラックであり、内周から順に一連の渦巻線になっている。長方形のディスク１においてＴｒＮ＋１〜ＴｒＫ〜ＴｒＭのようにＴｒＮ＋１より外周にもデータを記録されたディスク１では、図２に示す長方形のディスクの上辺１ａ、下辺１ｂにおいてピット列の不連続部分が発生する。光ディスク再生装置はトラッキングサーボによりこのピットの列を追従しながら読み出していく。トラッキングサーボは連続したピット列をトレースする際、例えば補助レーザ等の反射光からトラッキングエラー信号を時間軸上で連続して作成し、演算手段５においてそのエラー信号が０になるようにサーボ制御を行うため、ピットの不連続部分では反射光が得られないためサーボ制御ができず、不連続部分が終了してピット列がある部分になっても不連続になる部分になる前との連続したデータとして読み出すことはできない。
【特許文献１】特開平８−２２１８８４号公報
【発明の開示】
【発明が解決しようとする課題】
【０００６】
上記のように、従来の光ディスク再生装置では四角形などディスク１が円形でないディスクにおいて外周のトラックが途切れることのない、円形を形成できる範囲しか再生できないため、円形でないディスク１を製作する場合、トラックが途切れない部分までしか信号記録に用いることができない。
【０００７】
したがって、本発明の目的は、ディスク上のトラックが不連続の場合でも情報として読み出すことができるディスク再生装置を提供することである。
【課題を解決するための手段】
【０００８】
上記課題を解決するため、本発明のディスク再生装置は、ディスクを回転させるディスク回転手段と、前記ディスクからの情報を読み出すディスク読み出し手段と、前記ディスク読み出し手段の読み出し信号に基づいて前記ディスク読み出し手段の位置と前記ディスク回転手段の回転を制御する制御手段とを備えたディスク再生装置であって、
前記ディスク読み出し手段の初期位置からの相対位置を検出して前記制御手段に検出信号を供給する位置検出手段を有するものである。
【０００９】
本発明のディスク再生装置は、ディスクを回転させるディスク回転手段と、ディスクに向けてレーザを照射しその反射光を電気信号に変換し読み出し信号として出力するディスク読み出し手段と、前記電気信号の差分信号と加算信号を増幅して出力する増幅手段と、前記差分信号を用いてサーボ演算を行い、ドライブ指示信号を出力する演算手段と、前記ドライブ指示信号に基づいて前記ディスク読み出し手段と前記ディスク回転手段にドライブ信号を出力するドライブ信号作成手段とを備えたディスク再生装置であって、
前記ディスク読み出し手段の初期位置からの相対位置を検出して前記演算手段に検出信号を供給する位置検出手段を有するものである。
【００１０】
上記構成において、位置検出手段はディスク読み出し手段の移動経路の上または前記移動経路に平行に設置した位置情報を読み出すものである。
【００１１】
上記構成において、位置情報が等間隔に配置した明暗情報である。
【００１２】
上記構成において、位置情報が基準位置からの距離である。
【００１３】
上記構成において、演算手段は、ディスク読み出し手段からの読み出し信号が途切れた場合に前記ディスク読み出し手段の初期位置からの相対位置を保持しトラック位置を制御する。
【００１４】
上記構成において、ディスクに偏心がある場合、ディスク読み出し手段からの読み出し信号が途切れたときに前記ディスク読み出し手段の初期位置からの相対位置に偏心分のずれをトラック位置に加算または減算してトラック位置を制御する。
【００１５】
上記構成において、演算手段は、読み出し信号が途切れた場合に途切れる直前の読み出しデータと途切れから復帰した直後の読み出しデータをつなぎ、連続した読み出しデータとして扱う。
【発明の効果】
【００１６】
本発明のディスク再生装置によれば、ディスク読み出し手段の初期位置からの相対位置を検出する位置検出手段を有するため、円形でないディスクにおいて、円形のピット列が連続に配置できない領域のデータを連続した領域と同様に読み出すことができる。これにより、円形でないディスクの記録領域の記録領域を拡大し、メディアに用いられる資源の有効活用を実現する。また、トラッキングサーボのみでは対応しきれない大きな偏心量のディスクを再生する場合にも再生能力の向上が期待できる。
【発明を実施するための最良の形態】
【００１７】
本発明の第１の実施の形態における光ディスク再生装置について図１を用いて詳細に説明する。
【００１８】
図１は第1の実施の形態における光ディスク再生装置のブロック図である。図１において、１はディスク、２はディスク回転手段、３はピックアップ、４は増幅手段、５は演算手段、６はドライブ信号作成手段、７は位置検出手段の位置情報供給手段、８は位置検出手段の位置情報読み出し手段である。増幅手段４、演算手段５およびドライブ信号作成手段６はディスク回転手段２およびピックアップ３の制御手段を構成する。上記のディスク１からドライブ信号作成手段６までについては背景技術で説明した従来の光ディスク再生装置と同様であるため動作等の説明を割愛する。
【００１９】
ディスク再生時、従来の光ディスク再生装置の動作に加えて、ピックアップ３に付設した位置情報読み出し手段８は位置情報供給手段７から初期位置からの相対位置の位置情報を読み出し、演算手段５にその位置情報を伝達する。位置情報供給手段７は位置情報をピックアップ３の移動経路の上または移動経路に平行に設置している。第１の実施の形態において、この位置情報は等間隔に配置した明暗情報であり、位置情報読み出し手段８がレーザ等を明暗情報に照射した状態でディスク１の内または外方向にピックアップ３が移動すると位置情報読み出し手段８も移動するため、位置情報供給手段７からの反射光は移動につれて明暗を繰り返すことになり、この反射光を位置情報読み出し手段８において検出する。すなわち、位置情報読み出し手段８は反射光を例えば明の時に高い電圧、暗の時に低い電圧になるよう電気信号に変換して演算手段５に供給する。演算手段５は電気信号の電圧の変化をカウントすることにより、トラック情報以外にもディスク１の内または外方向の位置を認識することができる。
【００２０】
ここで本発明におけるディスク再生装置において、円形でないディスク１を再生する場合の動作について説明する。本発明の光ディスク再生装置はトラッキングサーボによりこのピットの列を追従しながら読み出すと同時に位置情報となる反射光の明暗から変換した電気信号をカウントしてディスク１の内または外方向の位置を認識する。ピックアップによる読み出し位置がピットの不連続部分に入った場合、位置情報により位置を制御し、ディスク回転手段２の回転速度とトラック幅に応じてピックアップ３の位置の制御を行う。また、不連続部分が終了し、ディスク１からの反射光が復活した場合、読み出し信号が途切れる直前の読み出しデータと途切れから復帰した直後の読み出しデータをつなぎ、連続した読み出しデータとして扱う。これらの動作により、本発明の光ディスク再生装置は円形でないディスク１の外周におけるピット列は連続して形成できない領域に記録されたデータの読み出しを行う。
【００２１】
上記の機能に追加してディスク１の内周部分の連続した領域の読み出し時にディスク１の偏芯量を計測しておく。例えば、回転手段の１回転間にトラッキングサーボ動作によって、トラッキングエラーが０になるように動作しながら、位置情報の読み出し行う。ディスク１の偏芯量が皆無の場合はトラッキングエラーが０の時、位置情報は一回転においてトラック１本分進むことになる。例えばトラック一本で位置情報が１進む場合はカウントが１増え、２進む場合は２増える。ところが偏芯量がある場合、回転手段の１回転間にトラック１本分の段階的な位置情報の増加ではなく位置情報の増減として現れる。例えば位置情報のカウント１０個分の偏芯量がある場合で１回転の開始時点が偏芯量のうち一番中心に近くであった場合、１／２回転した時で位置情報はトラック１本分位置情報増加分の半分と位置情報カウント１０の和であり、１回転が完了すると、位置情報はトラック１本分になる。偏芯量はディスク１の内周も外周も変わらないので、位置情報のカウントにおいてディスク１の回転に合わせて位置情報のカウント数と偏芯量の差分を求め、その差分を不連続部がある外周の読み出しにおける位置情報に代入することにより、偏芯のあるディスク１においても円形でないディスク１の不連続な外周部分の読み出しを行うことができる。
【００２２】
本発明の第２の実施の形態は、第１の実施の形態における位置情報が等間隔に配置した明暗情報であるのに対して、位置情報が基準位置からの距離であり、位置情報読み出し手段８はその情報を識別するセンサである。ディスク１の内または外方向にピックアップ３が移動すると位置情報供給手段７の位置情報は変化していく。演算手段５は位置情報を認識することにより、トラック情報以外にもディスク１の内または外方向の位置を認識することができる。その他の機能については偏芯量のあるディスクに対する対応も含めて第１の実施の形態と同様である。
【産業上の利用可能性】
【００２３】
本発明にかかるディスク再生装置は、円形でないディスクにおいて、円形のピット列が連続に配置できない領域のデータを連続した領域と同様に読み出すことができ、またトラッキングサーボのみでは対応しきれない大きな偏心量のディスクを再生にも再生能力の向上が期待できる等の効果があり、円形のピット列が連続に配置できないディスクを再生するディスク再生装置と等に有用である。
【図面の簡単な説明】
【００２４】
【図１】本発明の第1の実施の形態および第２の実施の形態における光ディスク再生装置のブロック図である。
【図２】従来の光ディスク再生装置のブロック図である。
【図３】円形でないディスクの一例を示す平面図である。
【符号の説明】
【００２５】
１  ディスク
２  ディスク回転手段
３  ピックアップ
４  増幅手段
５  演算手段
６  ドライブ信号作成手段
７  位置情報供給手段
８  位置情報読み出し手段
【図１】
2005339592.tif 000003
【図２】
2005339592.tif 000004
【図３】
2005339592.tif 000005